(57)【特許請求の範囲】
【請求項１】
接続相手側の端子を平面電極として形成する一方、回路体本体には一端を固定端とするとともに他端側を接触部分とし且つ前記一端側を前記平面電極に対し平行な捩り棒形状とするＬ字状トーションバー端子を設け、該Ｌ字状トーションバー端子及び前記平面電極を介して前記回路体本体の回路と前記接続相手側の回路との接続を行う
ことを特徴とする回路間の接続構造。
【請求項２】
請求項１に記載の回路間の接続構造において、
前記Ｌ字状トーションバー端子の前記接触部分を、この先端が前記平面電極に向く傾いた状態に配置形成する
ことを特徴とする回路間の接続構造。
【発明の詳細な説明】
【技術分野】
【０００１】
本発明は、回路体本体の回路と接続相手側の回路との接続に係る、回路間の接続構に造関する。
【背景技術】
【０００２】
回路体本体の回路と接続相手側の回路との接続構造に関しては、例えば下記特許文献１に開示された技術が知られている。図４において、回路体本体１は、図の左右方向に沿って形成される平板状の基板２と、この基板２の上に配索されるバスバー状の回路３と、基板２との間に回路３を挟み込む支持プレート４とを備えて構成されている。
【０００３】
回路体本体１には、接続相手側となる電磁ソレノイドのピン端子５との接続のための開口部６が形成されている。この開口部６には、回路３に連成される一対のバネ接点部７が露出している。各バネ接点部７の先端には、９０゜折り曲げられてピン端子５との接続方向（図の上下方向）にのびる端部８が形成されている。端部８同士の間隔は、ピン端子５の直径に合わせて設定されている。ピン端子５は、電磁ソレノイドの回路に接続されている。
【０００４】
上記構成において、電磁ソレノイドとの電気的な接続のためにピン端子５を開口部６に差し込むと、このピン端子５とバネ接点部７の端部８とが接触しあい接続状態が形成される。端部８同士の間にピン端子５が挿入される際には、ピン端子５により各バネ接点部７が押されて若干の撓みが生じ、これによって端部８同士の間隔が広がってピン端子５の挿入が行われるようになる。
【特許文献１】特公平５−３００３７号公報
【発明の開示】
【発明が解決しようとする課題】
【０００５】
上記従来技術にあっては、接続時においてピン端子５とバネ接点部７との位置がずれると、これらが突き当たる、所謂どつきが生じてしまうという問題点を有している。どつきが生じると、ピン端子５やバネ接点部７が変形したり破損したりすることから（バネ接点部７の弾力性でカバーできない場合がある）、従来技術は接点信頼性が低いという問題点を有している。
【０００６】
また、上記従来技術にあっては、バネ接点部７の端部８同士の間にピン端子５を挿入する接続構造を採用していることから、接触ストロークを比較的長くとらなければならないという問題点を有している。
【０００７】
本発明は、上記した事情に鑑みてなされたもので、高い接点信頼性を確保することが可能であり、また、接触ストロークも短くすることが可能な回路間の接続構造を提供することを課題とする。
【課題を解決するための手段】
【０００８】
上記課題を解決するためになされた請求項１記載の本発明の回路間の接続構造は、接続相手側の端子を平面電極として形成する一方、回路体本体には一端を固定端とするとともに他端側を接触部分とし且つ前記一端側を前記平面電極に対し平行な捩り棒形状とするＬ字状トーションバー端子を設け、該Ｌ字状トーションバー端子及び前記平面電極を介して前記回路体本体の回路と前記接続相手側の回路との接続を行うことを特徴としている。
【０００９】
このような特徴を有する本発明によれば、接続時においてＬ字状トーションバー端子と平面電極とが接触すると、Ｌ字状トーションバー端子に捩り方向の力が生じ、この力が接触し合う部分に作用する。接触ストロークが短くてもＬ字状トーションバー端子に生じる捩り方向の力によって十分な接圧が確保される。また、本発明によれば、Ｌ字状トーションバー端子が捩れることから、どつきのような状態が発生することはない。さらに、本発明によれば、接続相手側の端子を平面電極に形成することから、この平面電極によって接触し合う部分の位置ずれが吸収される。
【００１０】
請求項２記載の本発明の回路間の接続構造は、請求項１に記載の回路間の接続構造において、前記Ｌ字状トーションバー端子の前記接触部分を、この先端が前記平面電極に向く傾いた状態に配置形成することを特徴としている。
【００１１】
このような特徴を有する本発明によれば、Ｌ字状トーションバー端子と平面電極との接触状態がより一層良好になる。
【発明の効果】
【００１２】
請求項１に記載された本発明によれば、Ｌ字状トーションバー端子と平面電極との接触によって回路間の接続を行う構造とすることで、高い接点信頼性を確保することができるとともに、接触ストロークも短くすることができるという効果を奏する。
【００１３】
請求項２に記載された本発明によれば、Ｌ字状トーションバー端子の接触部分を傾けて形成することにより、Ｌ字状トーションバー端子と平面電極との接触状態をより一層良好にすることができるという効果を奏する。
【発明を実施するための最良の形態】
【００１４】
以下、図面を参照しながら説明する。図１は本発明の回路間の接続構造の一実施の形態を示す斜視図である。また、図２（ａ）は回路間の接続構造の平面図、図２（ｂ）は正面図である。また、図３（ａ）は図２（ｂ）の矢印Ａの拡大図、図３（ｂ）は接続状態の図である。尚、図１中の矢印Ｘを左右方向、矢印Ｙを上下方向、矢印Ｚを前後方向と定義して説明をするものとする。
【００１５】
図１及び図２において、引用符号１１は接続相手側となる例えば電磁ソレノイドを示している。この電磁ソレノイド１１は複数設けられており、所定の間隔でベース部材（図示省略）に組み付けられている。電磁ソレノイド１１は、左右方向に並ぶように組み付けられている（図中は三つであるがこの数に限定されないものとする）。電磁ソレノイド１１には、上方に突出する平面電極１２が設けられている。平面電極１２は、電磁ソレノイド１１内部の回路（図示省略）に接続されている。平面電極１２は、この形状が例えば図示の如く背の低い円柱形状となるように形成されている。平面電極１２における引用符号１３は、平坦な接触面を示している。
【００１６】
電磁ソレノイド１１を固定する図示しないベース部材は、電磁ソレノイド１１に対する例えばバルブボディとして形成されている。このようなベース部材には、後述する回路体本体１４を固定するための固定部（例えばネジ穴を含む）が形成されている。固定部は、例えば一列に並んだ電磁ソレノイド１１の両側に配置形成されている。
【００１７】
引用符号１４で示す如くの回路体本体は、絶縁性を有する絶縁部１５と、この絶縁部１５に例えばインサート成形される図示しない回路と、図示しない回路に接続され絶縁部１５の開口部１６を介して露出するＬ字状トーションバー端子１７とを備えて構成されている。回路体本体１４は、Ｌ字状トーションバー端子１７が電磁ソレノイド１１の平面電極１２に接触してこの部分での接続状態が形成されると、これによって電磁ソレノイド１１の図示しない回路との電気的な接続が完了するようなものとなっている。
【００１８】
絶縁部１５には、上記の如く開口部１６が複数形成されている。開口部１６は、電磁ソレノイド１１の配置に合わせて形成されている。開口部１６は、絶縁部１５を上下方向に貫通するように形成されている。このような開口部１６の内部には、Ｌ字状トーションバー端子１７が設けられている。
【００１９】
絶縁部１５には、上記図示しないベース部材の固定部の配置に合わせて回路体本体１４側の固定部（図示省略。例えばネジ挿通孔を含む）が形成されている。回路体本体１４は、図示しないボルトを用いてベース部材に固定されるようになっている。
【００２０】
Ｌ字状トーションバー端子１７は、断面丸形のピンをＬ字状に曲げることによって形成されている。Ｌ字状トーションバー端子１７の一端は、図示しない回路に接続されるとともに、絶縁部１５に固定されて固定端となっている。このようなＬ字状トーションバー端子１７の一端側は、電磁ソレノイド１１における平面電極１２の接触面１３に対して平行な捩り棒となる形状に形成されている。
【００２１】
ここで上記一端側を捩り棒部分１８と呼ぶことにすると、この捩り棒部分１８はトーションバーとしての機能を有する部分となっている。捩り棒部分１８には、曲がり部分１９を介して接触部分２０が連続するようになっている。接触部分２０は、Ｌ字状トーションバー端子１７の他端側の部分となっている。接触部分２０は、この先端が平面電極１２に向けて傾くような斜め下方向にのびるような状態に形成されている。
【００２２】
接触部分２０は、本形態において、この先端が開口部１６の外側に若干突出するような長さに、言い換えれば絶縁部１５の下面２１よりも下側に若干突出するような長さに形成されている。接触部分２０の先端は、半球形状に形成されている。接触部分２０の先端下側には、平面電極１２の接触面１３に対し点で接触するためのインデント２２（図３参照）が形成されている。尚、接触部分２０の幅寸法は、平面電極１２の接触面１３の直径よりも小さくなるように設定されている（一例であるものとする）。
【００２３】
上記構成において、図示しないボルトを用いて回路体本体１４を図示しないベース部材に固定すると、図３（ｂ）に示す如く回路体本体１４のＬ字状トーションバー端子１７が電磁ソレノイド１１の平面電極１２に接触し、これによって回路体本体１４と電磁ソレノイド１１の回路間の接続状態が形成される。
【００２４】
Ｌ字状トーションバー端子１７は、平面電極１２に対し接触するまでの間、図３（ａ）に示す如く接触部分２０が斜め下に傾いており、接触に伴って図３（ｂ）の位置まで接触部分２０が変位する。この時、捩り棒部分１８には捩り方向の力が生じることから、この力がＬ字状トーションバー端子１７と平面電極１２の接触し合う部分に作用する。接触部分２０の変位量は図３から分かるように少量であることから、本発明の接続構造によれば、接触ストロークが短くてもＬ字状トーションバー端子１７に生じる捩り方向の力によって十分な接圧を確保することができる。
【００２５】
本発明の接続構造によれば、平面電極１２を用いることから、接触し合う部分の位置ずれを吸収することができる。また、本発明の接続構造によって従来例のような、どつき発生を防止することもできる。従って、本発明の接続構造によれば、高い接点信頼性を確保することができる。
【００２６】
この他、本発明の接続構造によれば、仮に電磁ソレノイド１１の組み付け状態が悪く平面電極１２の位置が若干上下しても、この上下方向の位置ずれをＬ字状トーションバー端子１７によって吸収することができる。従って、高い接点信頼性を確保することができる。
【００２７】
本発明は本発明の主旨を変えない範囲で種々変更実施可能なことは勿論である。
【図面の簡単な説明】
【００２８】
【図１】本発明の回路間の接続構造の一実施の形態を示す斜視図である。
【図２】（ａ）は回路間の接続構造の平面図、（ｂ）は正面図である。
【図３】（ａ）は図２（ｂ）の矢印Ａの拡大図、（ｂ）は接続状態の図である。
【図４】従来例の回路間の接続構造の断面図である。
【符号の説明】
【００２９】
１１  電磁ソレノイド（接続相手側）
１２  平面電極
１３  接触面
１４  回路体本体
１５  絶縁部
１６  開口部
１７  Ｌ字状トーションバー端子
１８  捩り棒部分（一端側）
１９  曲がり部分
２０  接触部分（他端側）
２１  下面
２２  インデント
【図１】
0005004820.tif 000002
【図２】
0005004820.tif 000003
【図３】
0005004820.tif 000004
【図４】
0005004820.tif 000005